(57)【要約】【課題】  ボルトを取り付けるためのボルト穴からボルトの脱落を防止することにある。【解決手段】  ボルト脱落防止構造１０は、小判形のボルト穴２０のちょうど対称となるボルト穴２０の長手方向の両端部に係止部２１，２１を備える。係止部２１，２１は傾斜しているので、根角ボルト３０は挿入しやすい上に、根角ボルト３０のネジ部への引っ掛かりが非常によく、根角ボルト３０の脱落方向（挿入方向の逆方向）へは障害となり（釣り針の返しのような状態）、根角ボルト３０の脱落を確実に防止できる。【選択図】  図２
2017223265.tif 000002
【特許請求の範囲】
【請求項１】
ボルトを取り付けるためのボルト穴からボルトの脱落を防止するためのボルト脱落防止構造であって、
ボルト穴の内周縁からボルト穴の中心側へ、挿通するボルトのネジ部に対して傾斜する角度で突起する係止部を備えたことを特徴とするボルト脱落防止構造。
【請求項２】
ボルト穴に１又は２以上の非連続の係止部を備えたことを特徴とする請求項１記載のボルト脱落防止構造。
【請求項３】
係止部の傾斜する角度が、ボルトのネジ部を構成するネジ山の相対する一方の傾斜面に対して概垂直であることを特徴とする請求項１又は２記載のボルト脱落防止構造。
【請求項４】
ボルト穴が小判形であるとともに、小判形のボルト穴の平行する直線部分に根角ボルトの根角部分を当接するようにしてボルトの共回りを防止することを特徴とする請求項１から３のいずれかに記載のボルト脱落防止構造。
【請求項５】
長尺物を一対の板状部材で挟み込み支持する支持具において請求項１から請求項４のいずれかに記載されたボルト脱落防止構造を備えた建築用又は構築用支持具。
【発明の詳細な説明】
【技術分野】
【０００１】
本願発明は、ボルトを取り付けるためのボルト穴からボルトの脱落を防止するためのボルト脱落防止構造に関するものである。
【背景技術】
【０００２】
長尺物を一対の板状部材で挟み込み支持するものとして、例えば、配管支持金具などがある。配管支持金具では配管を挟み込むために、ボルト・ナットで締結されているバンドを取り外して配管を挿入し、改めてボルト・ナットでバンドを締結する。この一連の作業においてバンドからボルトが脱落してしまうと作業効率が極めて悪くなる。
【０００３】
このような問題に対して、本願出願人は従来より上記したボルト脱落防止構造に関して研究・開発を進めており、特許文献１のような特許発明を取得している。
また、本願出願人以外による先行技術文献としては、その特許文献１を引用文献とする特許文献２などが存在する。
【先行技術文献】
【特許文献】
【０００４】
【特許文献１】特許第３０４９４８６号公報
【特許文献２】特開２００２−１３６７２号公報
【発明の概要】
【発明が解決しようとする課題】
【０００５】
今般、本願発明者は上記ボルト脱落防止構造に関して研究・開発を進めた結果、さらに優れたボルト脱落防止構造の創作に至った。
【課題を解決するための手段】
【０００６】
本願発明の第１の発明は、ボルトを取り付けるためのボルト穴からボルトの脱落を防止するためのボルト脱落防止構造であって、ボルト穴の内周縁からボルト穴の中心側へ、挿通するボルトのネジ部に対して傾斜する角度で突起する係止部を備えたことを特徴とするものである。このような係止部を備えたボルト穴はプレス加工によって形成することが好ましいが、プレス加工に限定されるものではない。
第２の発明は、ボルト穴に１又は２以上の非連続の係止部を備えたことを特徴とする同ボルト脱落防止構造である。なお、係止部は、ボルト穴に非連続のものに限らず、円錐形の連続するものであってもよい。
第３の発明は、係止部の傾斜する角度が、ボルトのネジ部を構成するネジ山の相対する一方の傾斜面に対して概垂直であることを特徴とする同ボルト脱落防止構造である。
第４の発明は、ボルト穴が小判形であるとともに、小判形のボルト穴の平行する直線部分に根角ボルトの根角部分を当接するようにしてボルトの共回りを防止することを特徴とする同ボルト脱落防止構造である。
第５の発明は、長尺物を一対の板状部材で挟み込み支持する支持具において第１乃至第４のボルト脱落防止構造を備えた建築用又は構築用支持具である。
【発明の効果】
【０００７】
上記した本願発明によれば、以下のような効果を有する。
（１）本願発明は、単にボルト穴の内周縁からボルト穴の中心側へ突起するだけでなく、挿通するボルトのネジ部に対して傾斜する角度で突起する係止部であるので、ボルトのネジ部への引っ掛かりがよく、確実にボルトの脱落を防止できる。
（２）詳しくは、ボルトの挿入方向に傾斜していれば、ボルトの挿入方向には挿入しやすく、挿入方向とは正反対のボルトを外す方向には引っ掛かりやすく外しにくい。よって、工場ではボルトを挿入しやすく、現場ではボルトは脱落しにくい。
（３）ボルト穴に係止部があることで、ボルトの挿入に際してガイド（案内）の役割を果たし、ボルトの挿入が容易になる。
（４）係止部が挿入するボルトのネジ部に対して傾斜しているので、係止部の先端角部がネジ部に食い込み（ネジ山とネジ山の間の谷部に入り込む）、係止部の板厚に関係無く、ネジ部と確実に係止できる。
（５）ボルト穴を小判形にし、穴の長手方向に係止部を設けることで、板幅を大きくしなくてもボルト穴周辺の強度を確保できる。
（６）ボルト穴を小判形にし、これに根角ボルトを組み合わせることで、簡単にボルトの共回りを防止することができる。
【図面の簡単な説明】
【０００８】
【図１】ボルト脱落防止構造を説明する説明図（１）。
【図２】ボルト脱落防止構造を説明する説明図（２）。
【図３】ボルト脱落防止構造を説明する説明図（３）。
【図４Ａ】ボルト脱落防止構造の使用状態を図示する使用図（１）。
【図４Ｂ】ボルト脱落防止構造の使用状態を図示する使用図（２）。
【図５Ａ】ボルト脱落防止構造の使用状態を図示する使用図（３）。
【図５Ｂ】ボルト脱落防止構造の使用状態を図示する使用図（４）。
【図６Ａ】ボルト脱落防止構造の使用状態を図示する使用図（５）。
【図６Ｂ】ボルト脱落防止構造の使用状態を図示する使用図（６）。
【図７Ａ】ボルト脱落防止構造の使用状態を図示する使用図（７）。
【図７Ｂ】ボルト脱落防止構造の使用状態を図示する使用図（８）。
【図８Ａ】ボルト脱落防止構造の使用状態を図示する使用図（９）。
【図８Ｂ】ボルト脱落防止構造の使用状態を図示する使用図（１０）。
【図９Ａ】ボルト脱落防止構造の使用状態を図示する使用図（１１）。
【図９Ｂ】ボルト脱落防止構造の使用状態を図示する使用図（１２）。
【図１０】ボルト脱落防止構造の使用状態を図示する使用図（１３）。
【発明を実施するための形態】
【０００９】
本願発明の実施形態を図面に基づいて説明する。
図１乃至図３は、本願発明に係るボルト脱落防止構造を説明する説明図である。
図１に図示するように、ボルト脱落防止構造１０は、小判形のボルト穴２０のちょうど対称となる位置（図示では穴の長手方向の両端部）に係止部２１，２１を備えることで、ボルト穴２０に取り付ける根角ボルト３０の脱落を防止できるものである。
【００１０】
詳しくは、図２（ａ）に図示するように、係止部２１，２１はボルト穴２０の内周縁からボルト穴２０の中心側へ突起するとともに、挿通する根角ボルト３０のネジ部３２に対して傾斜する角度で突起するように形成されている。そして、この傾斜方向へ根角ボルト３０を挿入する。
次に、図２（ｂ）に図示するように、係止部２１，２１はボルト穴２０の中心側へ突起しているが、ボルト穴２０の外側（根角ボルト３０の挿入方向）へ向かって傾斜しているので、根角ボルト３０は挿入しやすく、挿入の障害にはなり得ない。
【００１１】
そして、図２（ｃ）に図示するように、根角ボルト３０のボルト穴２０への挿入が完了すると、根角ボルト３０の角根３１がボルト穴２０に当接するので、ナット（図示省略）締めの際の根角ボルト３０の共回りを防止できる。
また、係止部２１，２１は傾斜しているので、根角ボルト３０のネジ部への引っ掛かりが非常によく、根角ボルト３０の脱落方向（挿入方向の逆方向）へは障害となり（釣り針の返しのような状態）、根角ボルト３０の脱落を確実に防止できる。
【００１２】
図３を用いて、さらに詳しく本願発明に係るボルト脱落防止構造を説明する。
根角ボルト３０のネジ部３２におけるネジ山の角度Ｘ（例えば６０度）に対して、係止部２１を、ネジ山の相対する一方の傾斜面３３に対して大凡垂直になるようにする（傾斜する係止部２１の先端面２２を、ネジ山の相対する一方の傾斜面３３と平行にする）。そうすると、係止部２１の先端面２２は、ネジ山の相対しないもう一方の傾斜面３４とは平行にならず、根角ボルト３０の挿入方向に対して離隔する関係になる。従って、根角ボルト３０をボルト穴２０に挿入しても、係止部２１は根角ボルト３０のネジ部３２にとって障害とはならず、スムーズに挿入できる。その反対に、根角ボルト３０をボルト穴２０から外そうとすると（引っ張り出そうとすると）、平行な関係にある係止部２１の先端面２２とネジ山の傾斜面３３とは当接しやすくなるので、係止部２１は根角ボルト３０のネジ部３２にとって障害となり、ボルト穴２０から根角ボルト３０を容易に脱落できないようにしている。
【００１３】
また、係止部が挿通するボルトのネジ部に対して垂直に突起するものである場合（符号２９）、ネジ山の間隔Ｐよりも板厚があれば当然にネジ部に食い込むことはなく、十分な係止状態を実現できなかった。しかし、ネジ部に対して傾斜する係止部２１であれば、先端面２２のネジ部３２寄りの先端角部２３がネジ部に食い込むので、係止部２１の板厚に関係無く（ネジ山の間隔Ｐの３倍程度の板厚でも可）、十分な係止状態を実現できる。
なお、傾斜する係止部２１の先端面２２を、ネジ山の相対する一方の傾斜面３３と平行にする場合、ネジ山の角度Ｘと係止部２１の傾斜角度Ｙは同じ角度になる。
【００１４】
図４から図９は、本願発明に係るボルト脱落防止構造を使用した長尺物を一対の板状部材で挟み込み支持する支持具の一例を図示した使用図である。
図４及び図５は、タンバックル４０にボルト脱落防止構造を使用したものである。
図４Ａ及び図５Ａは、ボルト穴４１，４１の片方にボルト脱落防止構造１０を備え、図４Ｂ及び図５Ｂは、ボルト穴４１，４１の両方にボルト脱落防止構造１０を備える。前者でも、ボルト脱落防止機能としては十分であるが、後者ではタンバックル４０に左右が発生しないメリットがある。
【００１５】
図６及び図７は、組式立バンド５０にボルト脱落防止構造を使用したものである。
図６Ａ及び図７Ａは、ボルト穴５１，５１の片方にボルト脱落防止構造１０を備え、図６Ｂ及び図７Ｂは、ボルト穴５１，５１の両方にボルト脱落防止構造１０を備える。前者でも、ボルト脱落防止機能としては十分であるが、後者では組式立バンド５０に左右が発生しないメリットがある。
【００１６】
図８及び図９は、合せバンド６０にボルト脱落防止構造を使用したものである。
図８Ａ及び図９Ａは、ボルト穴６１，６１の片方にボルト脱落防止構造１０を備え、図８Ｂ及び図９Ｂは、ボルト穴６１，６１の両方にボルト脱落防止構造１０を備える。前者でも、ボルト脱落防止機能としては十分であるが、後者では組式立バンド５０に左右が発生しないことの他に、部品の共通化というメリットがある。
【００１７】
図１０は、タンバックル付支持バンド７０にボルト脱落防止構造を使用したものである。
図１０に図示するように、タンバックル７１のボルト穴７２，７２の片方にボルト脱落防止構造１０を備えただけで、タンバックル７１と支持バンド７５とボルト（図示省略）とが一体化して脱落しない。
【産業上の利用可能性】
【００１８】
本願発明に係るボルト脱落防止構造は、ボルトを取り付けるボルト穴に広く利用できるものである。特に、ボルトの脱落を防止する必要性が高い建築用又は構築用支持具には有用である。
【符号の説明】
【００１９】
１０  ボルト脱落防止構造
２０  ボルト穴
２１  係止部
２２  先端面
２３  先端角部
３０  根角ボルト
３１  角根
３２  ネジ部
３３  傾斜面
３４  傾斜面
【図１】
2017223265.tif 000003
【図２】
2017223265.tif 000004
【図３】
2017223265.tif 000005
【図４Ａ】
2017223265.tif 000006
【図４Ｂ】
2017223265.tif 000007
【図５Ａ】
2017223265.tif 000008
【図５Ｂ】
2017223265.tif 000009
【図６Ａ】
2017223265.tif 000010
【図６Ｂ】
2017223265.tif 000011
【図７Ａ】
2017223265.tif 000012
【図７Ｂ】
2017223265.tif 000013
【図８Ａ】
2017223265.tif 000014
【図８Ｂ】
2017223265.tif 000015
【図９Ａ】
2017223265.tif 000016
【図９Ｂ】
2017223265.tif 000017
【図１０】
2017223265.tif 000018